(57)【特許請求の範囲】
【請求項１】
多数の電動ブラインドにそれぞれ通信回線を介して接続され、前記各電動ブラインドのコントローラーに該電動ブラインドを駆動する指令信号を出力する中央制御装置と、
前記各電動ブラインドにそれぞれ設置されるバッテリーと、
前記各バッテリーに接続され、該バッテリーから前記電動ブラインド以外の電気機器に電源を供給する直流電源配線と、
商用交流電源の電力需要ピークの時間帯では、前記バッテリーの充電量が一定量以上である場合、前記各電動ブラインドを前記バッテリーを電源として動作させるとともに、前記バッテリーの電力を前記直流電源配線を介して前記電動ブラインド以外の電気機器に供給し、前記バッテリーの充電量が一定量以上でない場合、前記バッテリーを充電しながら前記各電動ブラインドを前記商用交流電源を電源として動作させ、前記電力需要ピークの時間帯以外では、前記商用交流電源で前記電動ブラインドを駆動するとともに、前記バッテリーを充電する制御手段とを備えたことを特徴とするブラインド制御システム。
【請求項２】
前記制御手段は、
前記コントローラーと、前記中央制御装置と、前記コントローラーに前記電動ブラインドを駆動するための操作信号を出力する操作スイッチとの少なくともいずれかに備えたことを特徴とする請求項１記載のブラインド制御システム。
【請求項３】
前記制御手段は、
時刻情報を生成するタイマー手段と、
電力需要のタイムテーブルを格納した記憶手段と、
前記時刻情報と前記タイムテーブルとに基づいて前記電力需要ピークの時間帯であるか否かを判定する判定手段と
を備えたことを特徴とする請求項１又は２記載のブラインド制御システム。
【請求項４】
前記電動ブラインドに、前記商用交流電源以外の電源から前記バッテリーに充電電流を供給するバッテリー充電装置を備えたことを特徴とする請求項１乃至３のいずれか１項に記載のブラインド制御システム。
【請求項５】
前記バッテリー充電装置は、前記電動ブラインドの日射遮蔽材に取着した太陽電池パネルを備えたことを特徴とする請求項４記載のブラインド制御システム。
【請求項６】
前記直流電源配線には、直流電圧を交流電圧に変換するインバーターを接続し、前記インバーターから前記電気機器に交流電圧を電源として供給することを特徴とする請求項１乃至５のいずれか１項に記載のブラインド制御システム。
【請求項７】
商用交流電源とバッテリーのいずれかの電源を選択して動作する電動ブラインドにおいて、
前記商用交流電源の電力需要ピークの時間帯では、前記バッテリーの充電量が一定量以上である場合、前記各電動ブラインドを前記バッテリーを電源として動作させるとともに、前記バッテリーの電力を直流電源配線を介して前記電動ブラインド以外の電気機器に供給し、前記バッテリーの充電量が一定量以上でない場合、前記バッテリーを充電しながら前記各電動ブラインドを前記商用交流電源を電源として動作させ、前記電力需要ピークの時間帯以外では、前記商用交流電源で前記電動ブラインドを駆動するとともに、前記バッテリーを充電する制御手段を備えたことを特徴とする電動ブラインド。
【請求項８】
前記制御手段は、
前記電動ブラインドに設けられるコントローラーと、前記コントローラーに通信配線を介して接続され、前記コントローラーに前記電動ブラインドを駆動する指令信号を出力する中央制御装置と、前記コントローラーに前記電動ブラインドを駆動するための操作信号を出力する操作スイッチとの少なくともいずれかに備えたことを特徴とする請求項７記載の電動ブラインド。
【請求項９】
前記制御手段は、
時刻情報を生成するタイマー手段と、
電力需要のタイムテーブルを格納した記憶手段と、
前記時刻情報と前記タイムテーブルとに基づいて前記電力需要ピークの時間帯であるか否かを判定する判定手段と
を備えたことを特徴とする請求項７又は８記載の電動ブラインド。
【請求項１０】
商用交流電源とバッテリーのいずれかの電源を選択して動作する電動ブラインドに備えたバッテリー装置において、
多数の前記電動ブラインドにそれぞれ設置される前記バッテリーと、
前記各バッテリーから前記電動ブラインド以外の電気機器に電源を供給可能とする直流電源配線と、
前記各バッテリーへの充電動作と、前記各バッテリーから前記電気機器に電源を供給する電源供給動作と、前記バッテリーから当該バッテリーが備えられる前記電動ブラインドに電源を供給する電源供給動作とを行う制御手段と
を備え、
前記制御手段は、前記商用交流電源の電力需要ピークの時間帯において、前記バッテリーの充電量が一定量以上である場合、前記各電動ブラインドを前記バッテリーを電源として動作させるとともに、前記バッテリーの電力を前記直流電源配線を介して前記電動ブラインド以外の電気機器に供給し、前記バッテリーの充電量が一定量以上でない場合、前記バッテリーを充電しながら前記各電動ブラインドを前記商用交流電源を電源として動作させ、
前記電力需要ピークの時間帯以外において、前記バッテリーを充電する
ことを特徴とするバッテリー装置。
【請求項１１】
多数の電動ブラインドにそれぞれ設けられたバッテリーを直流電源配線で接続し、前記直流電源配線にインバーターを介して電気機器を接続し、前記各電動ブラインドの動作を制御する中央制御装置に、
商用交流電源の電力需要ピークの時間帯では、前記バッテリーの充電量が一定量以上である場合、前記各電動ブラインドを前記バッテリーを電源として動作させるとともに、前記バッテリーの電力を前記直流電源配線及び前記インバーターを介して前記電気機器に供給し、
前記バッテリーの充電量が一定量以上でない場合、前記バッテリーを充電しながら前記各電動ブラインドを前記商用交流電源を電源として動作させ、
前記電力需要ピークの時間帯以外では、前記商用交流電源で前記電動ブラインドを駆動するとともに、前記バッテリーを充電する手段として機能させるためのプログラム。
【発明の詳細な説明】
【技術分野】
【０００１】
この発明は、多数の小型バッテリーの充放電を制御して、電力需要ピークの抑制に寄与するブラインド制御システム、電動ブラインド、バッテリー装置及びプログラムに関するものである。
【背景技術】
【０００２】
高層ビルディング等、多数の窓面を備えた建造物には各窓面にそれぞれブラインドが設置されている。このような建造物では、多数のブラインドの動作を制御するために、各ブラインドと中央制御装置とを通信システムで接続し、中央制御装置から出力される指令信号に基づいて各ブラインドの動作を一括して制御するブラインド制御システムを備えたものがある。
【０００３】
また、ブラインドに太陽電池パネルとバッテリーを備え、必要に応じてバッテリーに蓄えられた電力を使用して、消費電力の低減あるいは停電時の動作の安定化を図るようにしたものもある。
【０００４】
特許文献１には、太陽電池で蓄電されるバッテリーを複数のブラインド毎に配設し、必要に応じてバッテリーを電源としてブラインドを駆動するとともに、蓄電量及び発電量に応じた動作可能回数を表示部に表示する機能を備えた電動ブラインドが開示されている。
【０００５】
特許文献２には、１台のブラインドに太陽光発電部と充電池を備え、充電池を電源として動作する電動ブラインドが開示されている。
特許文献３には、デマンドコントロール装置により、停電時に複数の蓄電手段から複数の機器に重要度に応じて電力を供給する無停電電力供給装置が開示されている。
【０００６】
特許文献４には、夜間電力を利用して電気自動車のバッテリーを充電し、電力需要ピーク時には電気自動車のバッテリーに蓄えられた電力を利用して、電力需要ピークを抑制するシステムが開示されている。
【先行技術文献】
【特許文献】
【０００７】
【特許文献１】特開２０１１−７４７０７号公報
【特許文献２】特開２０１０−１５０８８４号公報
【特許文献３】特開２００４−３２８９６０号公報
【特許文献４】特開２００７−２８２３８３号公報
【発明の概要】
【発明が解決しようとする課題】
【０００８】
近年、電力需給の逼迫をうけて、電力需要ピークをさらに抑制することが要請されている。電力需要ピークを効果的に抑制するためには、夜間時等の電力需要非ピーク時にバッテリーに蓄えた電力を、ピーク時に広汎な電気機器に対し供給することが必要である。
【０００９】
特許文献１及び特許文献２に開示された電動ブラインドでは、バッテリーに蓄えられた電力をブラインド以外の広範な機器に供給する構成は開示されていない。
特許文献３では、停電時に蓄電手段から複数の機器に電力を供給する構成であり、電力需要ピークを抑制するための手段は開示されていない。
【００１０】
特許文献４では、バッテリーに蓄えられた電力を電力需要ピーク時に電力需要者に自動的に供給し、電力需要非ピーク時にバッテリーに蓄電するための制御手段は開示されていない。また、商用交流電源をインバーターで直流に変換してバッテリーを充電し、バッテリーに蓄えられた直流電源をインバーターで交流に変換して電力需要者に供給するため、電力効率が悪くなる。
【００１１】
この発明の目的は、多数の電動ブラインドにそれぞれ備えられたバッテリーから電動ブラインド以外の他の電気機器にも電力を供給して電力需要ピークの抑制に貢献し得るブラインド制御システム、電動ブラインド、バッテリー装置及びプログラムを提供することにある。
【課題を解決するための手段】
【００１２】
請求項１では、多数の電動ブラインドにそれぞれ通信回線を介して接続され、前記各電動ブラインドのコントローラーに該電動ブラインドを駆動する指令信号を出力する中央制御装置と、前記各電動ブラインドにそれぞれ設置されるバッテリーと、前記各バッテリーに接続され、該バッテリーから前記電動ブラインド以外の電気機器に電源を供給する直流電源配線と、前記商用交流電源の電力需要ピークの時間帯では、前記バッテリーの充電量が一定量以上である場合、前記各電動ブラインドを前記バッテリーを電源として動作させるとともに、前記バッテリーの電力を前記直流電源配線を介して前記電動ブラインド以外の電気機器に供給し、前記バッテリーの充電量が一定量以上でない場合、前記バッテリーを充電しながら前記各電動ブラインドを前記商用交流電源を電源として動作させ、前記電力需要ピークの時間帯以外では、前記商用交流電源で前記電動ブラインドを駆動するとともに、前記バッテリーを充電する制御手段とを備えた。
【００１３】
請求項２では、前記制御手段は、前記コントローラーと、前記中央制御装置と、前記コントローラーに前記電動ブラインドを駆動するための操作信号を出力する操作スイッチとの少なくともいずれかに備えた。
【００１４】
請求項３では、前記制御手段は、時刻情報を生成するタイマー手段と、電力需要のタイムテーブルを格納した記憶手段と、前記時刻情報と前記タイムテーブルとに基づいて前記電力需要ピークの時間帯であるか否かを判定する判定手段とを備えた。
【００１５】
請求項４では、前記電動ブラインドに、前記商用交流電源以外の電源から前記バッテリーに充電電流を供給するバッテリー充電装置を備えた。
請求項５では、前記バッテリー充電装置は、前記電動ブラインドの日射遮蔽材に取着した太陽電池パネルを備えた。
【００１６】
請求項６では、前記直流電源配線には、直流電圧を交流電圧に変換するインバーターを接続し、前記インバーターから前記電気機器に交流電圧を電源として供給する。
請求項７では、商用交流電源とバッテリーのいずれかの電源を選択して動作する電動ブラインドにおいて、前記商用交流電源の電力需要ピークの時間帯では、前記バッテリーの充電量が一定量以上である場合、前記各電動ブラインドを前記バッテリーを電源として動作させるとともに、前記バッテリーの電力を直流電源配線を介して前記電動ブラインド以外の電気機器に供給し、前記バッテリーの充電量が一定量以上でない場合、前記バッテリーを充電しながら前記各電動ブラインドを前記商用交流電源を電源として動作させ、前記電力需要ピークの時間帯以外では、前記商用交流電源で前記電動ブラインドを駆動するとともに、前記バッテリーを充電する制御手段を備えた。
【００１７】
請求項８では、前記制御手段は、前記電動ブラインドに設けられるコントローラーと、前記コントローラーに通信配線を介して接続され、前記コントローラーに前記電動ブラインドを駆動する指令信号を出力する中央制御装置と、前記コントローラーに前記電動ブラインドを駆動するための操作信号を出力する操作スイッチとの少なくともいずれかに備えた。
【００１８】
請求項９では、前記制御手段は、時刻情報を生成するタイマー手段と、電力需要のタイムテーブルを格納した記憶手段と、前記時刻情報と前記タイムテーブルとに基づいて前記電力需要ピークの時間帯であるか否かを判定する判定手段とを備えた。
【００１９】
請求項１０では、商用交流電源とバッテリーのいずれかの電源を選択して動作する電動ブラインドに備えたバッテリー装置において、多数の前記電動ブラインドにそれぞれ設置される前記バッテリーと、前記各バッテリーから前記電動ブラインド以外の電気機器に電源を供給可能とする直流電源配線と、前記各バッテリーへの充電動作と、前記各バッテリーから前記電気機器に電源を供給する電源供給動作と、前記バッテリーから当該バッテリーが備えられる前記電動ブラインドに電源を供給する電源供給動作とを行う制御手段とを備え、前記制御手段は、前記商用交流電源の電力需要ピークの時間帯において、前記バッテリーの充電量が一定量以上である場合、前記各電動ブラインドを前記バッテリーを電源として動作させるとともに、前記バッテリーの電力を前記直流電源配線を介して前記電動ブラインド以外の電気機器に供給し、前記バッテリーの充電量が一定量以上でない場合、前記バッテリーを充電しながら前記各電動ブラインドを前記商用交流電源を電源として動作させ、前記電力需要ピークの時間帯以外において、前記バッテリーを充電する。
【００２０】
請求項１１では、多数の電動ブラインドにそれぞれ設けられたバッテリーを直流電源配線で接続し、前記直流電源配線にインバーターを介して電気機器を接続し、前記各電動ブラインドの動作を制御する中央制御装置に、商用交流電源の電力需要ピークの時間帯では、前記バッテリーの充電量が一定量以上である場合、前記各電動ブラインドを前記バッテリーを電源として動作させるとともに、前記バッテリーの電力を前記直流電源配線及び前記インバーターを介して前記電気機器に供給し、前記バッテリーの充電量が一定量以上でない場合、前記バッテリーを充電しながら前記各電動ブラインドを前記商用交流電源を電源として動作させ、前記電力需要ピークの時間帯以外では前記商用交流電源で前記電動ブラインドを駆動するとともに、前記バッテリーを充電する手段として機能させるためのプログラムを設定する。
【発明の効果】
【００２１】
本発明によれば、多数の電動ブラインドにそれぞれ備えられたバッテリーから電動ブラインド以外の他の電気機器にも電力を供給して電力需要ピークの抑制に貢献し得るブラインド制御システムを提供することができる。
【図面の簡単な説明】
【００２２】
【図１】ブラインド制御システムを示すブロック図である。
【図２】電動ブラインドの電気的構成を示すブロック図である。
【図３】（ａ）（ｂ）は電動日射遮蔽装置の概要を示す側面図である。
【図４】電動横型ブラインドを示す正面図である。
【図５】電動横型ブラインドの電気的構成を示す説明図である。
【図６】ブラインド制御システムの動作を示すフローチャートである。
【図７】ブラインド制御システムの動作を示すフローチャートである。
【発明を実施するための形態】
【００２３】
以下、この発明を具体化した一実施形態を図面に従って説明する。図１に示すブラインド制御システムを構成する多数の電動ブラインド１は、高層ビル等の多数の窓にそれぞれ設置される。
【００２４】
各電動ブラインド１には、それぞれ操作スイッチ２が接続されている。操作スイッチ２は、各電動ブラインド１を操作する操作信号を出力するとともに、その操作信号に当該操作時の時刻情報を付加して出力するタイマー手段を備えている。
【００２５】
各電動ブラインド１の電気的構成を図２に従って説明すると、電源回路３には交流電源配線Ｌ１を介して交流１００Ｖの商用電源が供給される。電源回路３は、交流電圧を直流電圧に変換してコントローラー４に電源として供給する。
【００２６】
前記コントローラー４は、あらかじめ設定されたプログラムと前記操作スイッチ２から入力される操作信号あるいは後記中央制御装置８から入力される指令信号に基づいて動作し、日射遮蔽材を駆動するモーター５の動作を制御する。また、コントローラー４はメモリ機能を備え、１日の各時刻の電力需要のタイムテーブルが格納されている。
【００２７】
電動ブラインド１として、図３（ａ）に示す電動横型ブラインドを使用する場合には、モーター５の動作によりスラット６が昇降されるとともに角度調節される。電動ブラインド１として、図３（ｂ）に示す電動ロールブラインドを使用する場合には、モーター５の動作によりスクリーン７が昇降される。
【００２８】
前記コントローラー４は、通信配線Ｌ２を介して中央制御装置８に接続される。中央制御装置８は、通信配線Ｌ２を介して多数の電動ブラインド１に制御信号を出力して、各電動ブラインド１を一括して制御する機能を備えている。
【００２９】
コントローラー４は前記操作スイッチ２あるいは中央制御装置８から入力される操作信号あるいは指令信号に基づいて前記電源回路３に充電信号あるいは放電信号を出力する。
前記電源回路３にはバッテリー９が接続され、前記コントローラー４から充電信号あるいは放電信号が入力される。そして、コントローラー４から電源回路３及びバッテリー９に充電信号が入力されると、電源回路３からバッテリー９に充電電流が供給されてバッテリー９が充電される。
【００３０】
一方、コントローラー４から電源回路３及びバッテリー９に放電信号が入力されると、バッテリー９から電源回路３を介してコントローラー４に直流電源が供給される。
前記バッテリー９は直流電源配線Ｌ３に接続され、その直流電源配線Ｌ３にインバーター１０が接続されされている。そして、バッテリー９及びインバーター１０に放電信号が入力されると、バッテリー９に蓄電された直流電圧は直流電源配線Ｌ３を介してインバーター１０に供給され、インバーター１０でＡＣ１００Ｖに変換されて、照明器具等の他の電気機器に供給される。
【００３１】
前記バッテリー９には太陽電池パネル１１が接続されている。この太陽電池パネル１１は、電動ブラインド１が図３（ａ）に示す電動横型ブラインドである場合には、各スラット１２の表面に取着され、ヘッドボックス１３内に配設されるバッテリー９に接続される。
【００３２】
電動ブラインド１が図３（ｂ）に示す電動ロールブラインドである場合には、太陽電池パネル１１はスクリーン７の室外側の生地面に取着され、巻取軸内あるいはフレームに配設されるバッテリー９に接続される。
【００３３】
図４は、電動ブラインド１として使用する電動横型ブラインドの一例を示す。ヘッドボックス１３から多数段のスラット１２が昇降可能にかつ角度調節可能に吊下支持される。ヘッドボックス１３内には、前記電源回路３、コントローラー４、モーター５及びバッテリー９が配設されている。
【００３４】
図５に示すように、電源回路３には前記交流電源配線Ｌ１を介してＡＣ１００Ｖが供給され、接続配線ＣＬ１を介してバッテリー９に接続される。また、電源回路３は接続配線ＣＬ２を介してコントローラー４に接続され、コントローラー４とバッテリー９が接続配線ＣＬ３を介して接続されている。
【００３５】
そして、コントローラー４により、電源回路３からバッテリー９への充電動作と、バッテリー９から電源回路３への放電動作と、バッテリー９から直流電源配線Ｌ３を介した外部機器への放電動作が制御される。また、コントローラー４は、接続配線ＣＬ４を介してモーター５の動作を制御する。
【００３６】
前記コントローラー４は、接続配線ＣＬ５を介して通信インターフェース１４に接続される。通信インターフェース１４には前記操作スイッチ２が接続されるとともに、前記通信配線Ｌ２を介して前記中央制御装置８に接続される。なお、操作スイッチ２にはコントローラー４から接続配線ＣＬ５及び通信インターフェース１４を介して電源が供給される。
【００３７】
前記操作スイッチ２には、前記電源回路３からコントローラー４を介して電源が供給される。また各操作スイッチ２にコントローラー４で充電可能な小容量のバッテリーを電源として搭載してもよい。
【００３８】
また、前記中央制御装置８はコントローラー４と同様に、１日の各時刻の電力需要のタイムテーブルが格納されている。そして、中央制御装置８は、前記タイムテーブルに基づいて、電力需要ピーク時には前記各電動ブラインド１のコントローラー４に指令信号を出力し、各電動ブラインド１のバッテリー９から直流電源配線Ｌ３及び前記インバーター１０を介して当該高層ビルの照明装置等、他のシステムに電源が供給されるようになっている。
【００３９】
上記のようなブラインド制御システムは、構造的には従来のブラインド制御システムに対し次のような構成を付加して実現可能である。
すなわち、中央制御装置８から通信配線Ｌ２を介して各電動ブラインド１の動作を一括して制御可能とするとともに、操作スイッチ２の操作により各電動ブラインド１の動作を制御可能とした従来のブラインド制御システムに対し、各電動ブラインド１に太陽電池パネル１１とバッテリー９を付加する。
【００４０】
また、各バッテリー９から直流電源配線Ｌ３及びインバーター１０を介して照明装置等の他のシステムに電力を供給可能とする。
そして、電力需要ピーク時には、バッテリー９の電力でモーター５を駆動するとともに、バッテリー９から他のシステムに電力を供給するように制御するプログラムをコントローラー４、操作スイッチ２及び中央制御装置８の少なくともいずれかに備える。また、電力需要非ピーク時には、ＡＣ１００Ｖを電源としてバッテリー９を充電するプログラムをコントローラー４、操作スイッチ２及びコントローラー４の少なくともいずれかに備える。
【００４１】
次に、上記のように構成されたブラインド制御システムの作用を図６及び図７に従って説明する。
各電動ブラインド１において、太陽電池パネル１１で発電される電力は、常時バッテリー９に蓄電される。図６に示すように、電源回路３にＡＣ１００Ｖが供給されていると、コントローラー４の動作により、電源回路３からバッテリー９に充電電流が供給されてバッテリー９が充電されるとともに、コントローラー４は操作スイッチ２からの操作信号の入力を待つ状態となる（ステップ１,２）。
【００４２】
操作スイッチ２から操作信号が入力されると、コントローラー４は当該操作信号に含まれる時刻情報に基づいて、電力需要ピークの時間帯か否かを判定する（ステップ３）。
操作信号の入力時刻が電力需要ピークの時間帯である場合には、コントローラー４はバッテリー９の充電量が一定量以上であるか否かを判定し（ステップ４）、充電量が充分であれば、バッテリー９を電源としてモーター５を動作させ（ステップ５）、例えば操作信号に基づくスラット６の昇降動作あるいは角度調節動作を行う（ステップ６）。
【００４３】
ステップ３で操作信号の入力時刻が電力需要ピークの時間帯ではない場合には、ＡＣ１００Ｖを電源としてモーター５を動作させる（ステップ７）。
そして、操作信号の入力が停止すると、ステップ１に復帰して、次の操作信号の入力を待つ状態となる。
【００４４】
上記のような動作は、各電動ブラインド１において並行して行われる。また、電力需要ピーク時には各電動ブラインド１のバッテリー９から他の照明装置等に電源が供給される。
【００４５】
停電時には、コントローラー４はバッテリー９を電源として動作し、操作スイッチ２の操作によりスラット６あるいはスクリーン７を駆動することができる。
図７は、時刻情報と電力需要のタイムテーブルに基づいて、電力需要ピークの時間帯であるか否かを判定してその判定信号をコントローラー４に出力する機能を操作スイッチ２に備えた場合の動作を示す。
【００４６】
操作スイッチ２は、前記判定信号をコントローラー４に常時出力する。電力需要ピーク時には、コントローラー４はバッテリー９を電源として動作する状態となるとともに（ステップ１１，１２）、バッテリー９の充電量が一定量以上であるか否かを判定する（ステップ１３）。そして、バッテリー９の充電量が一定量以上である場合にはステップ１４に移行して操作スイッチ２からの操作信号を待つ状態となる（ステップ１１〜１４）。
【００４７】
ステップ１１において、電力需要非ピーク時にはコントローラー４は電源回路３によりＡＣ１００Ｖを電源として動作する状態となる（ステップ１５）。そして、電源回路３からバッテリー９に充電電流を供給してバッテリー９を充電しながら（ステップ１６）、ステップ１４に移行する。
【００４８】
ステップ１３で、バッテリー９の充電量が充分でない場合には、ステップ１６に移行して、バッテリー９を充電しながら、ステップ１４に移行する。
ステップ１４において、操作スイッチ２から操作信号が入力されると、バッテリー９の充電量が一定量以上であるか否かを判定する（ステップ１７）。そして、バッテリー９の充電量が一定量以上である場合にはステップ１８に移行して、コントローラー４はバッテリー９を電源としてモーター５を駆動し、例えば操作信号に基づくスラット６の昇降動作あるいは角度調節動作を行う（ステップ１９）。
【００４９】
ステップ１７で、バッテリー９の充電量が充分でない場合には、ステップ２０に移行して、コントローラー４はＡＣ１００Ｖを電源としてモーター５を駆動する状態となり、ステップ１９に移行する。
【００５０】
上記のように構成されたブラインド制御システムは、次に示す作用効果を得ることができる。
（１）電力需要ピーク時には、電力需要非ピーク時に蓄電された各電動ブラインド１のバッテリー９を電源としてモーター５を駆動することができる。また、電力需要ピーク時には、各電動ブラインド１のバッテリー９から照明装置等の他のシステムに電源を供給することができる。従って、電力需要ピークを抑制することができる。
（２）バッテリー９をスラット６若しくはスクリーン７に取着された太陽電池パネルから出力される電力で充電することができる。
（３）操作スイッチ２からコントローラー４に出力される操作信号に付加される時刻情報と、コントローラー４に格納されている電力需要のタイムテーブルに基づいて、電力需要ピーク時であるか否かを判定することができる。
（４）操作スイッチ２からコントローラー４に出力される判定信号に基づいて、コントローラー４で電力需要ピーク時であるか否かを判定することができる。
（５）停電時には、バッテリー９を電源としてスラット１２あるいはスクリーン７を操作することができる。
（６）多数の電動ブラインド１にそれぞれ設けたバッテリー９から直流電源配線Ｌ３及びインバーター１０を介して他のシステムに電源を供給するので、各電動ブラインド１のバッテリー９の容量を小さくしても、全体として充分なバッテリー容量を確保することができる。従って、大容量のバッテリーを一箇所に集中配置することなく、充分なバッテリー容量を確保することができるので、安全性を向上させることができる。
（７）従来のブラインド制御システムに対し、電動ブラインド１にバッテリー９と太陽電池パネル１１を備え、バッテリー９の電力を直流電源配線Ｌ３及びインバーター１０を介して他のシステムに供給可能とする。そして、コントローラー４、操作スイッチ２及び中央制御装置８の少なくともいずれかに、電力需要ピーク時には、バッテリー９の電力でモーター５を駆動するとともに、バッテリー９から他のシステムに電力を供給するように制御するプログラムを備える。また、電力需要非ピーク時には、ＡＣ１００Ｖを電源としてバッテリー９を充電するプログラムを備える。すると、従来の電動ブラインドを利用して本実施形態のブラインド制御システムを構成することができる。
【００５１】
上記実施形態は、以下の態様で実施してもよい。
・太陽電池パネルの他、コージェネレイションシステムを利用してバッテリーを充電してもよい。
・図７に示すステップ１１において、コントローラー４に時刻情報を生成するタイマー手段と１日の各時刻の電力需要のタイムテーブルとを備え、コントローラー４で電力需要ピークの時間帯であるか否かを判定してもよい。
・電動ブラインドとして、電動横型ブラインド、電動ロールブラインド以外にも、電動たくし上げカーテンや、電動プリーツカーテン等の種々の電動日射遮蔽装置を使用してもよい。
【符号の説明】
【００５２】
１…電動ブラインド、２…制御手段・記憶手段・判定手段（操作スイッチ）、３…電源回路、４…制御手段・記憶手段・判定手段（コントローラー）、５…モーター、８…制御手段・記憶手段・判定手段（中央制御装置）、９…バッテリー、１０…インバーター、１１…バッテリー充電装置（太陽電池パネル）、Ｌ１…交流電源配線、Ｌ２…通信配線、Ｌ３…直流電源配線。
【図１】
0005933228.tif 000002
【図２】
0005933228.tif 000003
【図３】
0005933228.tif 000004
【図４】
0005933228.tif 000005
【図５】
0005933228.tif 000006
【図６】
0005933228.tif 000007
【図７】
0005933228.tif 000008